【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
ベース板と、このベース板の左右両側にある左右の側壁と、前記ベース板の中央位置にある中央振り分け台と、を備え、
左右の前記側壁と前記中央振り分け台とのそれぞれの間において、前記ベース板との間にマッサージ用の機械類の収納空間を形成すべく設けられた足載せ面と、この脚載せ面の左右両側にある一対の対向起立面とによって、足入れ凹部が形成されており、
これら足入れ凹部のそれぞれに嵌め入れた各足を左右から挟持したり緩めたりしてマッサージを行うフットレストであって、
前記側壁は、前記対向起立面の裏側に前記収納空間と連通する裏側空間を形成していると共に当該裏側空間を上から覆っている形状である中空の芯材を有し、
前記中央振り分け台は、前記対向起立面の裏側に前記収納空間と連通する裏側空間を形成していると共に当該裏側空間を上から覆っている形状である中空の芯材を有していることを特徴とするフットレスト。
【請求項２】
ベース板と、このベース板の左右両側にある左右の側壁と、前記ベース板の中央位置にある中央振り分け台と、を備え、
左右の前記側壁と前記中央振り分け台とのそれぞれの間において、前記ベース板との間にマッサージ用の機械類の収納空間を形成すべく設けられた足載せ面と、この脚載せ面の左右両側にある一対の対向起立面とによって、足入れ凹部が形成されており、
これら足入れ凹部のそれぞれに嵌め入れた各足を左右から挟持したり緩めたりしてマッサージを行う足マッサージ機であって、
前記側壁は、前記対向起立面の裏側に前記収納空間と連通する裏側空間を形成していると共に当該裏側空間を上から覆っている形状である中空の芯材を有し、
前記中央振り分け台は、前記対向起立面の裏側に前記収納空間と連通する裏側空間を形成していると共に当該裏側空間を上から覆っている形状である中空の芯材を有していることを特徴とする足マッサージ機。
【手続補正２】
【補正対象書類名】明細書
【補正対象項目名】０００６
【補正方法】変更
【補正の内容】
【０００６】
本発明は、椅子本体に連結して用いるフットレスト、及び、椅子本体とは別個独立した状態で用いることのできる足マッサージ機として、足に対するマッサージ位置の割り出しが容易且つ確実にでき、またマッサージ中に足がずれ動いてしまうということを防止してマッサージ効果を十分に発揮できるようにした足マッサージ機を提供することを目的とする。
【手続補正３】
【補正対象書類名】明細書
【補正対象項目名】０００７
【補正方法】変更
【補正の内容】
【０００７】
本発明では、上記目的を達成するために、次の技術的手段を講じた。即ち、本発明に係るフットレスト及び足マッサージ機では、ベース板と、このベース板の左右両側にある左右の側壁と、前記ベース板の中央位置にある中央振り分け台とを備え、左右の前記側壁と前記中央振り分け台とのそれぞれの間において、前記ベース板との間にマッサージ用の機械類の収納空間を形成すべく設けられた足載せ面と、この脚載せ面の左右両側にある一対の対向起立面とによって、足入れ凹部が形成されており、これら足入れ凹部のそれぞれに嵌め入れた各足を左右から挟持したり緩めたりしてマッサージを行うものであって、前記側壁は、前記対向起立面の裏側に前記収納空間と連通する裏側空間を形成していると共に当該裏側空間を上から覆っている形状である中空の芯材を有し、前記中央振り分け台は、前記対向起立面の裏側に前記収納空間と連通する裏側空間を形成していると共に当該裏側空間を上から覆っている形状である中空の芯材を有しているものである。
【手続補正４】
【補正対象書類名】明細書
【補正対象項目名】０００８
【補正方法】変更
【補正の内容】
【０００８】
また、斬新なマッサージ動作が得られて、しかも動作音が静かで構造の小型化及び簡潔化ができるようにしたフットレストを提供するため、参考として説明する発明は、椅子本体の前部に設けられ、その上面を足載せ面としたものであって、この足載せ面の下部で軸心を左右方向へ向けて回転駆動可能に設けられた回転軸と、この回転軸に傾斜した状態で串刺し状に設けられたロータとを有している。従って、回転軸を回転させることでロータがその外周部を左右に振り動かしながら回転するようになり、この状態で足載せ面上に足を載せれば、左右動するロータの外周部で足のマッサージが行われることになる。このようなマッサージ動作は、フットレストにより得られるマッサージ動作として新規なものである。
勿論、エアセルを作動させるものではないので、動作音は静かで構造の小型化及び簡潔化も可能である。ロータは、片足ごとに、足を挟持可能な相互間隔で対を成して設けられているものとすることができ、このようにすることで足を掴みモミするようなマッサージ動作を得ることができる。足載せ面に対して、片足ごとの足入れ凹部を形成させるように、一対の対向起立面を両足分、設けることもできる。この場合、各ロータを対向起立面の各裏側へ配置させればよい。
【手続補正５】
【補正対象書類名】明細書
【補正対象項目名】０００９
【補正方法】変更
【補正の内容】
【０００９】
このようにすることで、足に対するマッサージ位置の割り出しが容易且つ確実になるものである。また、マッサージ中に足がずれ動いてしまうということもないために、マッサージ効果を十分に発揮できるようになる。なお、各ロータは、対向起立面とは関係なく位置付けることも可能であり、従って、ロータを設ける個数も特に限定されるものではない。参考として説明する足マッサージ機では、上面に足載せ面が形成された装置本体と、この装置本体内で軸心を左右方向へ向けて回転駆動可能に設けられた回転軸と、この回転軸に傾斜した状態で串刺し状に設けられたロータとを有し、回転軸の回転時に左右動するロータの外周部で足載せ面上に載せられた足をマッサージ可能になされ、且つ、前記装置本体の足載せ面には、片足ごとの足入れ凹部を形成させる一対の対向起立面が両足分設けられている。
【手続補正６】
【補正対象書類名】明細書
【補正対象項目名】００１０
【補正方法】変更
【補正の内容】
【００１０】
すなわち、装置本体を椅子本体の前部へ設けることが限定されない点で、上記フットレストと異なるものである。このような構成であれば、足に対するマッサージ位置の割り出しが容易且つ確実になるものである。また、マッサージ中に足がずれ動いてしまうということもないために、マッサージ効果を十分に発揮できるようになる。この足マッサージ機でも、ロータは、対向起立面の各裏側に配置させればよいものである。
【手続補正７】
【補正対象書類名】明細書
【補正対象項目名】００２９
【補正方法】変更
【補正の内容】
【００２９】
以上の説明で明らかなように、前記フットレストでは、外周部を左右に振り動かしながら回転するロータにより、足載せ面上に載せられた足をマッサージできるものであり、このようなマッサージ動作は、フットレストにより得られるマッサージ動作として新規であり、またエアセルの場合とは異なり、動作音が静かで、構造の小型化や簡潔化も可能となる。ロータの相互間隔を広くして足を挟持可能にすることで、足を掴みモミするようなマッサージ動作を得ることができる。また、足載せ面に足入れ凹部を形成させれば、足の固定ができ、効率的なマッサージが得られる。
一方、前記足マッサージ機では、椅子本体とは別個独立した使用が可能となり、構造の簡潔化が可能になったり、使用の自由度が広がる等の利点がある。